【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
クロマトグラフィーシステムに使用されるための機械読み取り可能なタグリーダであって、
（ａ）機械読み取り可能なタグから既存タグデータを読み取り、
（ｂ）新しいデータを前記機械読み取り可能なタグに書き込むように動作可能に構成され、
前記レーダは、前記機械読み取り可能なタグに対して調節するように動作可能に構成される、機械読み取り可能なタグリーダ。
【請求項２】
請求項１記載の機械読み取り可能なタグリーダにおいて、
前記新しいデータは、カートリッジ使用履歴データを含み、当該カートリッジ使用履歴データは、カートリッジの使用日時、当該日時にカートリッジに使用された溶媒、該カートリッジを何回使用したかを示す回数、試料タイプ、ユーザ名、およびそれらの組み合わせのいずれかを含む、１つまたは複数個のデータを含む、機械読み取り可能なタグリーダ。
【請求項３】
請求項１記載の機械読み取り可能なタグリーダにおいて、
前記既存タグデータは、前記クロマトグラフィーシステムの１つまたは複数の運転条件を設定するデータを含む、機械読み取り可能なタグリーダ。
【請求項４】
請求項１記載の機械読み取り可能なタグリーダにおいて、
（ａ）第１の端部と第２の端部とを備えるリーダアームであって、前記第１の端部は前記クロマトグラフィーシステム中の対象物に接続可能であり、前記第１の端部が前記対象物に接続されると、前記第２の端部は前記対象物に対して移動可能に構成される、リーダアームと、
（ｂ）前記第２の端部に取り付けられるタグリーダ部品であって、（ｉ）前記機械読み取り可能なタグから既存タグデータを読み取り、（ｉｉ）新しいデータを前記機械読み取り可能なタグに書き込み、（ｉｉｉ）前記第２の端部に対して移動するように動作可能に構成される、タグリーダ部品と、
を備える、機械読み取り可能なタグリーダ。
【請求項５】
請求項１記載の機械読み取り可能なタグリーダにおいて
（１）１つまたは複数の機械読み取り可能なタグと、（２）（ｉ）クロマトグラフィーカートリッジ、（ｉｉ）フラクション収集トレイベイ、または、（ｉ）当該クロマトグラフィーカートリッジ及び（ｉｉ）当該フラクション収集トレイベイの両方と組み合わされ、当該１つまたは複数の機械読み取り可能なタグが、前記クロマトグラフィーカートリッジの表面、前記フラクション収集トレイベイの表面、またはその両方に沿って位置する、機械読み取り可能なタグリーダ。
【請求項６】
クロマトグラフィーシステムに使用されることに適した機械読み取り可能なタグリーダであって、
（ａ）第１の端部と第２の端部とを備えるリーダであって、前記第１の端部は前記クロマトグラフィーシステム中の対象物に接続可能であり、前記第１の端部が前記対象物に接続されると、前記第２の端部は前記対象物に対して移動可能に構成される、リーダと、
（ｂ）前記第２の端部に取り付けられるタグリーダ部品であって、（ｉ）前記第２の端部に対して移動し、（ｉｉ）機械読み取り可能なタグから既存タグデータを読み取り、（ｉｉｉ）新しいデータを前記機械読み取り可能なタグに書き込みするように動作可能に構成される、タグリーダ部品と、
を備える機械読み取り可能なタグリーダ。
【請求項７】
請求項６記載の機械読み取り可能なタグリーダにおいて、
前記タグリーダ部品は、前記タグリーダ部品の外側表面を、前記機械読み取り可能なタグの外側表面上に隣接して位置するように動作可能に構成される、機械読み取り可能なタグリーダ。
【請求項８】
請求項６記載の機械読み取り可能なタグリーダにおいて、
１つまたは複数の機械読み取り可能なタグと組み合わされる、機械読み取り可能なタグリーダ。
【請求項９】
請求項８記載の機械読み取り可能なタグリーダにおいて、
それぞれの機械読み取り可能なタグが、各クロマトグラフィーカートリッジの上に位置する、機械読み取り可能なタグリーダ。
【請求項１０】
クロマトグラフィーシステムのフラクション収集システムであって、
（ａ）フラクション収集トレイベイと、
（ｂ）前記フラクション収集トレイベイの１つまたは複数のベイ壁面に沿って位置する１つまたは複数のセンサであって、当該フラクション収集トレイベイ内に位置する１つまたは複数のフラクション収集トレイを検出可能に構成される、１つまたは複数のセンサと、
を備えるフラクション収集システム。
【請求項１１】
請求項１０記載のフラクション収集システムにおいて、
前記１つまたは複数のセンサの少なくとも１つは、光センサを含む、フラクション収集システム。
【請求項１２】
請求項１０記載のフラクション収集システムにおいて、
（ａ）前記フラクション収集トレイベイの、前記１つまたは複数のベイ壁面に沿って位置する、１つまたは複数の固定された機械読み取り可能なタグリーダをさらに備え、前記１つまたは複数の固定された機械読み取り可能なタグリーダのそれぞれは、（ｉ）フラクション収集トレイの表面上の機械読み取り可能なタグから既存タグデータを読み取るように動作可能に構成される、フラクション収集システム。
【請求項１３】
請求項１２記載のフラクション収集システムにおいて、
前記１つまたは複数の固定された機械読み取り可能なタグリーダの少なくとも１つは、（ｉｉ）新しいデータを所定の機械読み取り可能なタグに書き込みするように動作可能に構成される、フラクション収集システム。
【請求項１４】
請求項１２記載のフラクション収集システムにおいて、
（ａ）前記フラクション収集トレイベイの中に位置するように構成される、１つまたは複数のフラクション収集トレイをさらに備え、前記１つまたは複数のフラクション収集トレイのそれぞれは、前記フラクション収集トレイのトレイ表面に沿って位置する、機械読み取り可能なタグを備える、フラクション収集システム。
【請求項１５】
請求項１４記載のフラクション収集システムにおいて、
前記１つまたは複数のフラクション収集トレイのそれぞれは、前記フラクション収集トレイのトレイ表面に沿って位置する、単一の機械読み取り可能なタグを備える、フラクション収集システム。
【請求項１６】
請求項１５記載のフラクション収集システムにおいて、
前記単一の機械読み取り可能なタグは、フラクションデータを含み、前記フラクションデータは（ｉ）前記フラクション収集トレイのトレイ外側表面に沿ったフラクション容器位置、（ｉｉ）前記フラクション収集トレイの前記トレイ外側表面に沿ったフラクション容器が無い位置、（ｉｉｉ）前記フラクション収集トレイの前記トレイ外側表面に沿ったフラクション容器が存在する位置、（ｉｖ）１つまたは複数の前記フラクション容器が存在する位置内に位置するそれぞれのフラクション容器のフラクション容器情報、（ｖ）１つまたは複数の前記フラクション容器が存在する位置内に位置するそれぞれのフラクションのフラクション情報、または（ｖｉ）（ｉ）から（ｖ）のいずれかの組み合わせを含む、フラクション収集システム。
【請求項１７】
請求項１４記載のフラクション収集システムにおいて、
少なくとも２つのフラクション収集トレイは、お互いに対して隣り合って位置し、前記少なくとも２つの隣り合ったフラクション収集トレイの外周は、前記フラクション収集トレイベイの少なくとも２つの隣接するベイ壁面に対向する、フラクション収集システム。
【請求項１８】
請求項１７記載のフラクション収集システムにおいて、
前記１つまたは複数のベイ壁面は、前記フラクション収集トレイベイの中に位置するそれぞれのフラクション収集トレイに対して、固定された機械読み取り可能なタグリーダを備える、フラクション収集システム。
【請求項１９】
請求項１７記載のフラクション収集システムにおいて、
単一のベイ壁面は、前記少なくとも２つの隣り合ったフラクション収集トレイに対して、少なくとも２つの固定された機械読み取り可能なタグリーダを備える、フラクション収集システム。
【請求項２０】
請求項１２記載のフラクション収集システムにおいて、
（ａ）前記クロマトグラフィーシステムに使用されることに適した移動式機械読み取り可能なタグリーダをさらに備え、
（ｂ）第１の端部と第２の端部とを備えるリーダアームであって、前記第１の端部は前記クロマトグラフィーシステム中の対象物に接続可能であり、前記第１の端部が前記対象物に接続されると、前記第２の端部は前記対象物に対して移動可能に構成される、リーダアームと、
（ｃ）前記第２の端部に取り付けられるタグリーダ部品であって、（ｉ）前記第２の端部に対して移動し、（ｉｉ）機械読み取り可能なタグから既存タグデータを読み取るように動作可能に構成される、タグリーダ部品と、
を備える前記移動式機械読み取り可能なタグリーダを具備するフラクション収集システム。
【請求項２１】
請求項２０記載のフラクション収集システムにおいて、
前記タグリーダ部品は、（ｉｉｉ）新しいデータを前記機械読み取り可能なタグに書き込むように動作可能に構成される、フラクション収集システム。
【請求項２２】
カートリッジ高さ検知デバイスであって、
（ａ）プリント回路基板と、
（ｂ）前記プリント回路基板の外側表面に沿って、垂直方向に延在する１つまたは複数のパッドセンサと、
（ｃ）カートリッジ支持部材のカラムアームに沿って位置する、１つまたは複数の接触センサと、を備え、
（ｄ）前記１つまたは複数のパッドセンサと接触する前記１つまたは複数の接触センサの位置によって、前記カートリッジ支持部材内に位置するカートリッジの高さを決定する、デバイス。
【請求項２３】
クロマトグラフィーシステムにおいて、請求項１記載の前記機械読み取り可能なタグリーダを備える、システム。
【請求項２４】
クロマトグラフィーシステムにおいて、請求項６記載の前記機械読み取り可能なタグリーダを備える、システム。
【請求項２５】
クロマトグラフィーシステムにおいて、請求項１０記載の前記フラクション収集システムを含む、システム。
【請求項２６】
クロマトグラフィーシステムにおいて、請求項１２記載の前記フラクション収集システムを含む、システム。
【請求項２７】
クロマトグラフィーシステムにおいて、請求項２０記載の前記フラクション収集システムを含む、システム。
【請求項２８】
クロマトグラフィーシステムにおいて、請求項２２記載の前記カートリッジ高さ検知デバイスを含む、システム。
【請求項２９】
クロマトグラフィーシステムであって、
（ａ）機械読み取り可能なタグリーダと、
（ｂ）機械読み取り可能なタグと、を備え、
前記機械読み取り可能なタグリーダは、新しいデータを、前記機械読み取り可能なタグに書き込むように動作可能に構成され、
前記レーダは、前記機械読み取り可能なタグに対して調節するように動作可能に構成される、システム。